(57)【要約】【課題】画像データを転送する場合に、画質の劣化を抑え、高速に画像データを転送できる画像処理装置、表示装置、及び、画像圧縮方法を提供する。【解決手段】画像処理部３０は、第１の色空間の画像データを、明度、彩度、及び色相の要素を有する極座標系の色空間である第２の色空間の画像データに変換する変換部３９と、変換部３９が変換した画像データに対し、少なくとも彩度について他の要素とは異なる圧縮率を適用して圧縮する圧縮部３８と、を有し、圧縮部３８が圧縮した画像データを転送する。【選択図】図１
2016158014.tif 000002
【特許請求の範囲】
【請求項１】
第１の色空間の画像データを、明度、彩度、及び色相の要素を有する極座標系の色空間である第２の色空間の画像データに変換する変換部と、
前記変換部が変換した画像データに対し、少なくとも彩度について他の前記要素とは異なる圧縮率を適用して圧縮する圧縮部と、を有し、
前記圧縮部が圧縮した画像データを転送すること、
を特徴とする画像処理装置。
【請求項２】
明度、彩度、色相のうち少なくともいずれか１つの前記要素の圧縮率を、他の前記要素に基づいて設定すること、を特徴とする請求項１記載の画像処理装置。
【請求項３】
彩度の圧縮率を、明度の圧縮率及び色相の圧縮率のうち少なくとも一方と異なる圧縮率に設定すること、を特徴とする請求項１または２記載の画像処理装置。
【請求項４】
彩度の圧縮率を、明度の圧縮率及び色相の圧縮率のうち少なくとも一方よりも低い圧縮率に設定すること、を特徴とする請求項３記載の画像処理装置。
【請求項５】
前記変換部が変換した画像データの彩度のデータに基づいて、色相の圧縮率を設定すること、を特徴とする請求項２記載の画像処理装置。
【請求項６】
前記圧縮率を変更する圧縮率変更部を備えること、を特徴とする請求項１から５のいずれかに記載の画像処理装置。
【請求項７】
操作を受け付ける操作部を備え、
前記圧縮率変更部は、明度、彩度、色相のうち少なくともいずれか１つの前記要素の圧縮率を、前記操作部に対する操作に基づいて変更すること、を特徴とする請求項６記載の画像処理装置。
【請求項８】
直交座標系の色空間の画像データを処理する処理部を備え、
前記変換部は、極座標系の色空間の画像データを直交座標系の色空間の画像データに変換して前記処理部に出力し、前記処理部が出力する前記画像データを極座標系の色空間の画像データに変換すること、
を特徴とする請求項１から７のいずれかに記載の画像処理装置。
【請求項９】
前記圧縮部が圧縮した画像データをメモリーに転送すること、を特徴とする請求項１から８のいずれかに記載の画像処理装置。
【請求項１０】
第１の色空間の画像データを、明度、彩度、及び色相の要素を有する極座標系の色空間である第２の色空間の画像データに変換する変換部と、
前記変換部が変換した画像データに対し、少なくとも彩度について他の前記要素とは異なる圧縮率を適用して圧縮する圧縮部と、を有し、
前記圧縮部が圧縮した前記画像データを転送する画像処理装置と、
Ｒ、Ｇ、Ｂの要素を含む画像データに基づき画像を表示する表示部と、を備え、
前記画像処理装置は前記表示部に対してＲ、Ｇ、Ｂの要素を含む画像データを出力すること、
を特徴とする表示装置。
【請求項１１】
前記表示部として、投射面に画像を投射する投射部を備えるプロジェクターであること、を特徴とする請求項１０記載の表示装置。
【請求項１２】
第１の色空間の画像データを、明度、彩度、及び色相の要素を有する極座標系の色空間である第２の色空間の画像データに変換し、
前記第２の色空間の画像データに対し、少なくとも彩度について他の前記要素とは異なる圧縮率を適用して圧縮し、
圧縮した前記第２の色空間の画像データを転送すること、
を特徴とする画像圧縮方法。
【発明の詳細な説明】
【技術分野】
【０００１】
本発明は、画像処理装置、表示装置、及び、画像圧縮方法に関する。
【背景技術】
【０００２】
従来、画像を表示する表示装置において、入力された画像信号を、色相成分、明度成分、及び彩度成分により色を表すＨＬＳ色空間の信号に変換するものが知られている（例えば、特許文献１参照）。このように変換された画像信号は、色相成分、明度成分、及び彩度成分の成分ごとに調整することが可能となる。
【先行技術文献】
【特許文献】
【０００３】
【特許文献１】特開２０１０−２３２７７３号公報
【発明の概要】
【発明が解決しようとする課題】
【０００４】
一般に、画像データを処理する装置は、画像データをメモリーに書き込み、メモリーに書き込んだ画像データに対して各種処理を行う。例えば、特許文献１記載の液晶プロジェクターはＣＰＵにより処理を行うが、このＣＰＵが処理するデータはメモリーに格納されることが通常の方法である。
画像データをメモリーに書き込む場合、及び、メモリーから画像データを読み出す処理では、画像データのデータ量が大きくなるほど転送速度が低下する。そこで、転送速度の低下を防ぐために、画像データを圧縮して転送することが考えられる。この場合、圧縮率を高くすればデータ量を小さくすることができ、効率よく高速に画像データを転送できるが、画質が劣化するという問題があった。
本発明は、上述した事情に鑑みてなされたものであり、画像データを転送する場合に、画質の劣化を抑え、高速に画像データを転送できる画像処理装置、表示装置、及び、画像圧縮方法を提供することを目的とする。
【課題を解決するための手段】
【０００５】
上記目的を達成するために、本発明の画像処理装置は、第１の色空間の画像データを、明度、彩度、及び色相の要素を有する極座標系の色空間である第２の色空間の画像データに変換する変換部と、前記変換部が変換した画像データに対し、少なくとも彩度について他の前記要素とは異なる圧縮率を適用して圧縮する圧縮部と、を有し、前記圧縮部が圧縮した画像データを転送すること、を特徴とする。
本発明によれば、画質の劣化を抑えて高い圧縮率で画像データを圧縮できる。
【０００６】
また、本発明は、上記画像処理装置において、明度、彩度、色相のうち少なくともいずれか一つの前記要素の圧縮率を、他の前記要素に基づいて設定すること、を特徴とする。
本発明によれば、画質の劣化をより一層低く抑えることができる。
【０００７】
また、本発明は、上記画像処理装置において、彩度の圧縮率を、明度の圧縮率及び色相の圧縮率のうち少なくとも一方と異なる圧縮率に設定すること、を特徴とする。
本発明によれば、画質の劣化を抑え、画像データの転送を高速化することが可能な圧縮率を設定できる。
【０００８】
また、本発明は、上記画像処理装置において、彩度の圧縮率を、明度の圧縮率及び色相の圧縮率のうち少なくとも一方の圧縮率よりも低い圧縮率に設定すること、を特徴とする。
本発明によれば、圧縮率を適切に設定し、画質の劣化を抑え、画像データの転送を高速化できる。
【０００９】
また、本発明は、上記画像処理装置において、前記変換部が変換した画像データの彩度のデータに基づいて、色相の圧縮率を設定すること、を特徴とする。
本発明によれば、人間の視覚特性を利用して、適切な圧縮率を設定できる。
【００１０】
また、本発明は、上記画像処理装置において、前記圧縮率を変更する圧縮率変更部を備えること、を特徴とする。
本発明によれば、画像データに適用する圧縮率を適切な圧縮率とすることができる。
【００１１】
また、本発明は、上記画像処理装置において、操作を受け付ける操作部を備え、前記圧縮率変更部は、明度、彩度、色相のうち少なくともいずれか１つの前記要素の圧縮率を、前記操作部に対する操作に基づいて変更すること、を特徴とする。
本発明によれば、操作に従って、画像データに適用する圧縮率を変更できる。
【００１２】
また、本発明は、上記画像処理装置において、直交座標系の色空間の画像データを処理する処理部を備え、前記変換部は、極座標系の色空間の画像データを直交座標系の色空間の画像データに変換して前記処理部に出力し、前記処理部が出力する前記画像データを極座標系の色空間の画像データに変換すること、を特徴とする。
本発明によれば、直交座標系の画像データを処理する場合に、画質の劣化を抑えて高い圧縮率で画像データを圧縮し、転送できる。
【００１３】
また、本発明は、上記画像処理装置において、前記圧縮部が圧縮した画像データをメモリーに転送すること、を特徴とする。
本発明によれば、メモリーに画像データを転送する際に、画質の劣化を抑えて高い圧縮率で画像データを圧縮することで、転送速度を高速化できる。
【００１４】
また、上記目的を達成するために、本発明の表示装置は、第１の色空間の画像データを、明度、彩度、及び色相の要素を有する極座標系の色空間である第２色空間の画像データに変換する変換部と、前記変換部が変換した画像データに対し、少なくとも彩度について他の前記要素とは異なる圧縮率を適用して圧縮する圧縮部と、を有し、前記圧縮部が圧縮した前記画像データを転送する画像処理装置と、Ｒ、Ｇ、Ｂの要素を含む画像データに基づき画像を表示する表示部と、を備え、前記画像処理装置は前記表示部に対してＲ、Ｇ、Ｂの要素を含む画像データを出力すること、を特徴とする。
本発明によれば、画質の劣化を抑えて高い圧縮率で画像データを圧縮して転送することにより、表示装置におけるデータ処理の効率を高め、高品位の画像を表示できる。
【００１５】
また、本発明は、上記表示装置において、前記表示部として、投射面に画像を投射する投射部を備えるプロジェクターであること、を特徴とする。
本発明によれば、Ｒ、Ｇ、Ｂの要素を含む画像データに基づき画像を投射するプロジェクターにおいて、表示装置におけるデータ処理の効率を高め、高品位の画像を表示できる。
【００１６】
また、上記目的を達成するために、本発明の画像圧縮方法は、第１の色空間の画像データを、明度、彩度、及び色相の要素を有する極座標系の色空間である第２の色空間の画像データに変換し、前記第２の色空間の画像データに対し、少なくとも彩度について他の前記要素とは異なる圧縮率を適用して圧縮し、圧縮した前記第２の色空間の画像データを転送すること、を特徴とする。
本発明によれば、画質の劣化を抑えて高い圧縮率で画像データを圧縮できる。
【図面の簡単な説明】
【００１７】
【図１】実施形態に係るプロジェクターの機能ブロック図。
【図２】プロジェクターの動作を示すフローチャート。
【図３】プロジェクターの動作を示すフローチャート。
【発明を実施するための形態】
【００１８】
以下、図面を参照して本発明を適用した実施形態について説明する。
図１は、本発明を適用した実施形態に係るプロジェクター１の機能ブロック図である。
プロジェクター１（表示装置）は、画像供給装置（図示略）に接続し、画像供給装置が出力する入力画像データＤ１に基づいて、スクリーンＳＣ（投射面）に画像を投射する。
プロジェクター１は、プロジェクター１の各部を制御する制御部１０と、制御部１０の制御により入力画像データＤ１を処理する画像処理部３０（画像処理装置）と、スクリーンＳＣに画像を投射（表示）する投射部２０（表示部）とを備える。
【００１９】
投射部２０は、光源部２１、分光部２２、光変調部２３、及び投射光学系２４を備える。
光源部２１は、キセノンランプ、超高圧水銀ランプ、ＬＥＤ等からなる光源を備える。光源部２１は、制御部１０の制御に従って光源に駆動電流を供給し、光源を点灯／消灯させる駆動回路（図示略）を備える。光源部２１は、光源が発した光を分光部２２に導くリフレクター、光源の放射光の光学特性を高めるためのレンズ群、偏光板、光源から分光部２２に至る経路上で光量を減光させる調光素子等（いずれも図示略）を備えてもよい。
【００２０】
分光部２２は、例えば色光を分離するミラーやプリズムを備え、光源部２１が発した光を分光する。本実施形態では、光源部２１が発した光をＲ（赤）、Ｇ（緑）、Ｂ（青）の３色の色光２０ａに分光して、光変調部２３に入射する。
光変調部２３は、分光部２２が分光した色光２０ａのそれぞれを変調する３つの液晶パネル２３Ｒ、２３Ｇ、２３Ｂを備える。液晶パネル２３Ｒには、色光２０ａのうちＲの光が入射する。また、液晶パネル２３ＧにはＧの光が入射し、液晶パネル２３ＢにはＢの光が入射する。液晶パネル２３Ｒ、２３Ｇ、２３Ｂは、例えば透過型の液晶パネルであり、それぞれ入射光を変調し、変調後の色光２０ｂを投射光学系２４に入射する。
投射光学系２４は、光変調部２３で変調されたＲＧＢ３色の色光２０ｂを合成するプリズム、及び、プリズムで合成された投射画像をスクリーンＳＣに結像させるレンズ群等を備える。
【００２１】
制御部１０には、プロジェクター１の本体上面や背面に配置された操作パネル１１が接続する。操作パネル１１は複数の操作子を備え、これら操作子の操作に対応する操作信号を生成して制御部１０に出力する。また、制御部１０には、リモコン受光部１２が接続する。リモコン受光部１２は、リモコン１５が送信する赤外線信号を受信し、リモコン１５における操作に対応する操作信号を生成して制御部１０に出力する。リモコン１５は、プロジェクター１を操作する各種キーを備え、キーの操作に対応した赤外線信号を送信する。リモコン１５は、例えば、プロジェクター１の電源オン／オフを指示する電源キー、数字に対応する数字キー、方向を指示する矢印キー或いは十字キーを備える。操作パネル１１及びリモコン１５は、ユーザーの操作を受け付ける操作部に相当する。
【００２２】
プロジェクター１には、プロジェクター１が内蔵する記憶装置（図示略）、または、パーソナルコンピューターや各種画像プレーヤー等の外部の画像供給装置（図示略）からデジタル画像データが入力される。プロジェクター１に入力される画像信号は、静止画像の画像データであっても動画像（映像）の画像データであってもよく、本実施形態では一例として、動画像の画像データが入力される場合について説明する。この入力画像データは、通常の映像データの他、立体映像データであってもよい。
立体映像データのフォーマットは、左目用の画像のフレーム（左画像フレーム）と右目用の画像のフレーム（右画像フレーム）とが交互に入力されるフレームシーケンシャル方式のほか、トップアンドボトム方式やサイドバイサイド方式とすることができる。
【００２３】
プロジェクター１は、入力画像データＤ１が入力する画像入力インターフェイス（Ｉ／Ｆ）３１を備え、画像入力Ｉ／Ｆ３１は画像処理部３０に対して入力画像データＤ１を出力する。
画像入力Ｉ／Ｆ３１に入力される入力画像データＤ１は、上述のように、プロジェクター１が内蔵する記憶装置（図示略）が記憶する画像データ、あるいは、プロジェクター１の外部の画像供給装置（図示略）が出力する画像データである。画像入力Ｉ／Ｆ３１は、画像供給装置に接続されるコネクターやインターフェイス回路を備えてもよいし、プロジェクター１に、画像入力Ｉ／Ｆ３１とは別のコネクターやインターフェイス回路を設けてもよい。また、画像入力Ｉ／Ｆ３１は、アナログ画像信号を入力可能な構成としてもよい。この場合、画像入力Ｉ／Ｆ３１は、アナログ画像信号をデジタル画像データに変換するＡ／Ｄコンバーター等を備え、変換したデジタル画像データを画像処理部３０に出力してもよい。
【００２４】
画像入力Ｉ／Ｆ３１が画像処理部３０に出力する入力画像データＤ１は、３次元色空間の画像信号であり、特に、Ｒ（赤）、Ｇ（緑）、Ｂ（青）の各画像信号を含む直交座標系の色空間の画像データである。なお、本実施形態では入力画像データＤ１がＲＧＢ色空間の画像データである場合を例に挙げて説明するが、これはあくまで一例である。入力画像データＤ１は、直交座標系の画像データであれば本発明の適用対象であり、例えば、Ｙ（輝度信号）、Ｕ（第１色差信号）、Ｖ（第２色差信号）からなるＹＵＶ色空間の画像データであってもよいし、ＹＣｂＣｒ色空間の画像データ、或いはＹＰｂＰｒ色空間の画像データであってもよい。
画像処理部３０は、画像入力Ｉ／Ｆ３１から入力される入力画像データＤ１を処理する複数の処理部を備える。画像処理部３０が備える処理部の例として、図１に、リサイズ部３３、ＯＳＤ（On-Screen Display）処理部３４、フレームレート変換部３５、及び、ＯＤ（Over-Drive）処理部３６を示す。これらを総称して処理部と呼ぶ。
【００２５】
画像処理部３０には、画像データを一時的に格納するＤＲＡＭ（Dynamic Random Access Memory）４０が接続される。
画像処理部３０は、ＤＲＡＭ４０（メモリー）に接続するＤＲＡＭ  Ｉ／Ｆ（インターフェイス）３７を備える。画像処理部３０は、画像入力Ｉ／Ｆ３１から入力される入力画像データＤ１を、ＤＲＡＭ  Ｉ／Ｆ３７によりＤＲＡＭ４０に書き込む。ここで、ＤＲＡＭ４０には、入力画像データＤ１のフレームのデータが書き込まれる。ＤＲＡＭ  Ｉ／Ｆ３７は、リサイズ部３３、ＯＳＤ処理部３４、フレームレート変換部３５、及びＯＤ処理部３６のそれぞれの処理部に接続する。これらの処理部は、ＤＲＡＭ  Ｉ／Ｆ３７にアクセスして、ＤＲＡＭ４０が記憶する画像データ（フレームのデータ）を処理対象のフレームのデータとして取得し、後述する処理を行い、処理後の画像データを、ＤＲＡＭ  Ｉ／Ｆ３７に送信し、ＤＲＡＭ４０に格納させる。
【００２６】
リサイズ部３３は、処理対象の画像データの解像度を、制御部１０の制御により設定される解像度に変換する解像度変換（リサイズ）処理を実行する。例えば、リサイズ部３３は、液晶パネル２３Ｒ、液晶パネル２３Ｂ、及び液晶パネル２３Ｇの表示解像度に適した解像度への変換を行う。
ＯＳＤ処理部３４は、処理対象の画像データに対し、メニュー画面、ユーザーへの通知や案内の画像等をＯＳＤ画像として重畳し、合成画像を生成する処理を行う。
フレームレート変換部３５は、処理対象の画像データのフレームレートを、制御部１０の制御により設定されるフレームレートに変換する。
ＯＤ処理部３６は、液晶パネル２３Ｒ、液晶パネル２３Ｇ、及び液晶パネル２３Ｂをオーバードライブ駆動する場合に、処理対象の画像データに基づき、オーバードライブ駆動用の画像データを生成する。
画像処理部３０が備える処理部はこれらに限定されない。例えば、入力画像データＤ１が３Ｄ（立体）画像データである場合に、処理対象の画像データから、左眼用のフレームの画像データ、及び、右眼用のフレームの画像データを生成する３Ｄ変換処理を実行する３Ｄ変換処理部を設けてもよい。また、例えば、入力画像データＤ１が２Ｄ（平面）画像データである場合に、制御部１０により設定される視差を有する３Ｄ画像データを生成する処理部、或いは、入力画像データＤ１が３Ｄ画像データである場合に、２Ｄ画像データを生成する処理部を設けてもよい。また、スクリーンＳＣにおける台形歪みや糸巻き型歪みを補正する歪み補正処理を実行する処理部を設けてもよく、その他、公知のプロジェクターが実行する画像処理を、制限なく画像処理部３０に適用できる。
【００２７】
画像処理部３０は、リサイズ部３３、ＯＳＤ処理部３４、フレームレート変換部３５、及びＯＤ処理部３６等の処理部が処理した画像データを、ＤＲＡＭ４０から読み出して、光変調部駆動回路３２に出力する。
ここで、リサイズ部３３、ＯＳＤ処理部３４、フレームレート変換部３５、及びＯＤ処理部３６の全てが画像データを処理する必要はない。画像処理部３０は、制御部１０の制御により指定された処理のみを行えばよく、例えば、上記処理部のうち一部の処理部が画像データを処理し、他の処理部は処理を行なわず、画像データを光変調部駆動回路３２に出力してもよい。
【００２８】
光変調部駆動回路３２は、画像処理部３０から入力される画像データに基づき、液晶パネル２３Ｒ、液晶パネル２３Ｇ、及び液晶パネル２３Ｂを駆動して、画像を描画する。これにより、投射部２０が、スクリーンＳＣに、画像処理部３０が処理した画像データに基づく画像を投射（表示）する。
【００２９】
上述のように、入力画像データＤ１は、直交座標系の３次元色空間の画像データである。また、画像処理部３０が備える各処理部は、直交座標系の３次元色空間の画像データを処理し、画像処理部３０が光変調部駆動回路３２に出力する画像データも直交座標系の色空間の画像データである。例えば、入力画像データＤ１をＲＧＢ色空間の画像データとした場合、画像処理部３０の処理部はＲＧＢの画像データを処理し、画像処理部３０はＲＧＢの画像データを光変調部駆動回路３２に出力する。ここで、ＲＧＢ色空間の画像データに代えて、ＹＵＶ色空間の画像データを処理する場合も同様である。
【００３０】
ＤＲＡＭ４０に画像データを記憶する場合、無圧縮の画像データをそのまま記憶するためには、ＤＲＡＭ４０の容量が増大する。また、ＤＲＡＭ４０と画像処理部３０との間の転送速度（転送帯域）を高速にする要求が生じる。さらに、プロジェクター１の表示画質を高めるためには、入力画像データＤ１の解像度や光変調部２３の表示解像度を高めたり、プロジェクター１のフレームレートを高速にしたりすることが考えられる。このような場合には、ＤＲＡＭ４０の容量及び転送速度に関する要求が、より一層高くなる。そこで、プロジェクター１は、ＤＲＡＭ４０に記憶するデータを圧縮する圧縮部３８を、ＤＲＡＭ  Ｉ／Ｆ３７に備える。圧縮部３８は、画像入力Ｉ／Ｆ３１から入力される入力画像データＤ１または画像処理部３０の処理部が処理した画像データを圧縮してＤＲＡＭ４０に転送する。また、圧縮部３８は、ＤＲＡＭ４０から読み出した画像データを、無圧縮または低圧縮の画像データに復元して、画像処理部３０の処理部または光変調部駆動回路３２に転送する。これにより、ＤＲＡＭ４０の記憶容量に対する要求を軽減できる。また、ＤＲＡＭ４０とＤＲＡＭ  Ｉ／Ｆ３７との間の転送速度に対する要求も軽減できる。
【００３１】
ところで、ＲＧＢ色空間やＹＵＶ色空間の画像データは、圧縮処理により画質の劣化を生じやすい。このため、圧縮部３８が圧縮する圧縮率を高めると、画質の劣化が顕著になり、プロジェクター１の表示品質への影響が懸念される。この課題はＲＧＢ色空間及びＹＵＶ色空間の画像データについて顕著であるが、直交座標系の画像データについて共通の課題である。
【００３２】
そこで、プロジェクター１は、画像データを極座標系の色空間の画像データに変換してから、圧縮部３８で圧縮する処理を行う構成を具備する。具体的には、直交座標系の画像データを極座標系の色空間の画像データに変換する変換部３９を備え、圧縮部３８は、変換部３９で変換された極座標系の色空間の画像データを圧縮、及び復元する。
【００３３】
変換部３９は、例えば、Ｈ（hue：色相）、Ｌ（luminance：輝度、明度）、Ｓ（saturation：彩度）からなるＨＬＳ色空間の画像データに変換する。
圧縮部３８は、制御部１０の制御に従って圧縮率を設定し、設定した圧縮率で画像データを圧縮する。ここで、圧縮部３８は、ＨＬＳ色空間の画像データを、Ｈ、Ｌ、及びＳの要素ごとに、個別に圧縮する処理を行う。つまり、圧縮部３８は、Ｈ信号を圧縮する処理、Ｌ信号を圧縮する処理、及びＳ信号を圧縮する処理を、それぞれ行う。
この圧縮処理において、全ての要素の圧縮率を同一の圧縮率にしてもよいが、本実施形態のプロジェクター１では、少なくともＳ（彩度）に関する圧縮率を、他の要素（Ｈ、Ｌ）とは異なる圧縮率に設定できる。より好ましくは、色相、明度、及び彩度のそれぞれの要素ごとに、個別に圧縮率を設定できる。このため、Ｈ、Ｌ、Ｓの各要素の物理量の特性に応じた圧縮率を設定できる。
【００３４】
圧縮部３８の圧縮率を設定する処理は、制御部１０が実行する構成としてもよいし、圧縮部３８が実行する構成としてもよい。制御部１０及び圧縮部３８のうち圧縮率を設定する機能部は圧縮率変更部に相当する。本実施形態では圧縮部３８が圧縮率を決定する例を説明する。制御部１０が設定を行う場合、制御部１０は画像処理部３０とともに画像処理装置として機能する。また、制御部１０及び圧縮部３８のほかに、圧縮率を設定する機能部（圧縮率変更部に相当）を設けてもよい。
また、ユーザーが操作パネル１１またはリモコン１５を操作して、圧縮率を入力してもよく、この場合、制御部１０が入力に基づく圧縮率を設定する。
ＨＬＳ色空間の画像データでは、Ｓ（彩度）信号は、Ｈ（色相）信号及びＬ（明度）に比べて人間の眼の感度が低いことが知られている。従って、Ｓ信号の分解能を、Ｈ信号及びＬ信号に比べて低くしても、スクリーンＳＣの投射画像の画質は劣化しにくい。
Ｈ、Ｌ、Ｓの各信号を離散化して圧縮する場合を例に挙げる。Ｈ、Ｌ、Ｓの各信号が８ビット（０〜２５５）の階調値である場合に、Ｈ信号、及びＬ信号を６４段階（レベル）に離散化して、代表値を２，６，１０，１４…とする。この場合に、Ｓ信号を、例えば代表値を４，１２，２０，…とする３２段階（レベル）に離散化することができる。この例では、Ｈ、Ｌ、Ｓの各信号を全て６４レベルで離散化する場合に比べ、Ｓ信号を高い圧縮率で圧縮できる。
【００３５】
また、圧縮部３８は、Ｈ、Ｌ、Ｓの各要素の圧縮率を、他の要素に基づいて設定する構成としてもよい。例えば、ＨＬＳ色空間において彩度が低い領域では、色が無彩色に近い色であるため、人間の眼は色相の変化を感知しにくい。従って、Ｓ信号の値が低い場合には、Ｈ信号の圧縮率を高くしても、スクリーンＳＣの投射画像の画質は劣化しにくい。そこで、圧縮部３８は、Ｈ、Ｌ、Ｓの各信号が８ビット（０〜２５５）の階調値である場合に、Ｓ信号の値がしきい値以上である場合には、Ｈ信号を６４段階（レベル）に離散化して、代表値を２，６，１０，１４…とする。ここで、Ｓ信号の値とは、処理対象のフレームにおける彩度のデータの最大値、或いは、所定の演算により求められる平均値または代表値である。そして、Ｓ信号の値がしきい値より小さい低彩度の場合には、Ｈ信号の離散化のレベルを３２段階にして、代表値を４，１２，２０…とする離散化を行う。この例では、Ｈ、Ｌ、Ｓの各信号を全て６４レベルで離散化する場合に比べ、Ｈ信号を高い圧縮率で圧縮できる。
【００３６】
上記の２つの例をまとめると、圧縮率の設定は下記の通りとなる。
Ｌ（明度）信号…６４レベルで離散化（代表値は２，６，１０，１４…）。
Ｓ（彩度）信号…３２レベルで離散化（代表値は４，１２，２０…）。
Ｈ（色相）信号…（１）彩度がしきい値以上の通常状態では６４レベルで離散化（代表値は２，６，１０，１４…）し、（２）彩度がしきい値より小さい低彩度状態では３２レベルで離散化（代表値は４，１２，２０…）。
このように、圧縮部３８は、ＨＬＳ色空間の画像データを、Ｈ、Ｌ、Ｓの要素毎に圧縮し、少なくとも一部の要素の圧縮率を他の要素とは異なる圧縮率に設定できるので、スクリーンＳＣの投射画像の画質の劣化が感じられないように、圧縮率を高めることができる。このため、人間の視覚特性を利用して画質の劣化を防止しつつ圧縮率を高く設定し、ＤＲＡＭ４０の記憶容量、及び、ＤＲＡＭ４０とＤＲＡＭ  Ｉ／Ｆ３７との間の転送速度に対する要求を下げることができる。
【００３７】
画像処理部３０は、各処理部及びＤＲＡＭ  Ｉ／Ｆ３７を、それぞれ独立したハードウェアで構成してもよいし、ＳｏＣ（System On Chip）化した１つのＬＳＩで構成してもよい。或いは、各処理部及びＤＲＡＭ  Ｉ／Ｆ３７を、ＣＰＵがプログラムを実行することで、ソフトウェアにより実現してもよい。ＤＲＡＭ  Ｉ／Ｆ３７が備える圧縮部３８及び変換部３９についても同様である。さらに、圧縮部３８が圧縮率を設定する処理は、上述したように制御部１０が実行してもよい。この場合、制御部１０は、変換部３９が変換したＨＬＳ色空間の画像データを取得して、要素毎の圧縮率を画像処理部３０に出力する。
【００３８】
図２及び図３は、プロジェクター１の動作を示すフローチャートであり、（Ａ）は画像処理部３０の処理部の動作を示し、（Ｂ）はＤＲＡＭ  Ｉ／Ｆ３７の動作を示す。
図２は、処理部からＤＲＡＭ４０にデータを転送する場合の動作を示す。
画像処理部３０の処理部は、ＤＲＡＭ  Ｉ／Ｆ３７に対してデータ転送要求を送信する（ステップＳ１１）。ＤＲＡＭ  Ｉ／Ｆ３７は、処理部からデータ転送要求を受信すると（ステップＳ２１）、データ転送要求を行った処理部に対し、データ転送要求に対する応答を送信する（ステップＳ２２）。この応答は、データ転送の要求を受け付けたことを示す制御データであり、ＤＲＡＭ  Ｉ／Ｆ３７は、ＤＲＡＭ４０及びＤＲＡＭ  Ｉ／Ｆ３７がデータを転送可能な状態になってから、応答を送信してもよい。
処理部は、ＤＲＡＭ  Ｉ／Ｆ３７が送信する応答を受信し（ステップＳ１２）、画像データをＤＲＡＭ  Ｉ／Ｆ３７に送信する（ステップＳ１３）。処理部が送信する画像データは、直交座標系の色空間の画像データである。
【００３９】
ＤＲＡＭ  Ｉ／Ｆ３７は、処理部が送信する画像データを受信し（ステップＳ２３）、受信した画像データを変換部３９がＨＬＳ色空間の画像データに変換する（ステップＳ２４）。続いて、圧縮部３８は、変換後のＨＬＳ色空間の画像データを解析して、Ｈ、Ｌ、Ｓの要素毎の圧縮率を設定する（ステップＳ２５）。ここで、圧縮部３８は、予め設定された複数段階の圧縮率から、各要素の圧縮率を選択してもよい。
圧縮部３８は、ステップＳ２５で設定した圧縮率に従って画像データを圧縮し（ステップＳ２６）、ＤＲＡＭ４０にアクセスする（ステップＳ２７）。ステップＳ２７で、ＤＲＡＭ  Ｉ／Ｆ３７は、例えば、ＤＲＡＭ４０に対してデータを記憶するよう要求する制御データと、データを記憶する記憶領域のアドレスを指定するデータ等を送信する。
ＤＲＡＭ  Ｉ／Ｆ３７は、圧縮部３８が圧縮した画像データをＤＲＡＭ４０に転送して、ＤＲＡＭ４０への書き込みを実行する（ステップＳ２８）。
ＤＲＡＭ４０に画像データを転送した後、ＤＲＡＭ  Ｉ／Ｆ３７は、ステップＳ１１でデータ転送要求を送信した処理部に対し、書き込みが完了したことを示す通知を送信する（ステップＳ２９）。処理部は、ＤＲＡＭ  Ｉ／Ｆ３７から書き込み完了の通知を受信して（ステップＳ１４）、本処理を終了する。
【００４０】
また、画像処理部３０は、画像入力Ｉ／Ｆ３１から入力画像データＤ１が入力されたとき、図２（Ａ）の処理部と同様に動作して、入力画像データＤ１をＤＲＡＭ  Ｉ／Ｆ３７に送信する。この場合、ＤＲＡＭ  Ｉ／Ｆ３７が入力画像データＤ１を変換し、圧縮して、ＤＲＡＭ４０に記憶させる。
【００４１】
図３は、処理部がＤＲＡＭ４０からデータを取得する場合の動作を示す。
画像処理部３０の処理部は、ＤＲＡＭ  Ｉ／Ｆ３７に対してデータ読出要求を送信する（ステップＳ３１）。データ読出要求は、例えば、読み出しを要求する制御データ、及び、読み出す対象の画像データを特定するデータを含む。
ＤＲＡＭ  Ｉ／Ｆ３７は、処理部からデータ読出要求を受信し（ステップＳ４１）、ＤＲＡＭ４０にアクセスする（ステップＳ４２）。ステップＳ４２で、ＤＲＡＭ  Ｉ／Ｆ３７は、例えば、ＤＲＡＭ４０に対してデータの送信を要求する制御データと、対象となるデータが記憶された記憶領域のアドレスを指定するデータ等を送信する。ＤＲＡＭ  Ｉ／Ｆ３７は、ＤＲＡＭ４０が送信する画像データを受信して、ＤＲＡＭ４０から画像データを読み出す（ステップＳ４３）。圧縮部３８は、ＤＲＡＭ４０から読み出した画像データを、圧縮前の状態に復元する（ステップＳ４４）。図２のステップＳ２６で、不可逆的な処理により画像データを圧縮した場合、ステップＳ４４で、画像データを圧縮前と同一の状態に復元することはできないが、上述のように画質への影響は小さいので支障は無い。
【００４２】
圧縮部３８が画像データを復元した後、変換部３９は、復元された画像データを直交座標系の色空間の画像データに変換する（ステップＳ４５）。ここで、変換部３９は、予め設定された色空間の画像データ（例えば、ＲＧＢの画像データ）に変換してもよいし、ステップＳ３１でデータ読出要求を送信した処理部に対応する画像データの形式を判定して、変換する画像データの形式を決めてもよい。
ＤＲＡＭ  Ｉ／Ｆ３７は、変換部３９が変換した直交座標系の色空間の画像データを、ステップＳ４１でデータ読出要求を送信した処理部に送信し（ステップＳ４６）、処理部は、ＤＲＡＭ  Ｉ／Ｆ３７から画像データを受信して（ステップＳ３２）、本処理を終了する。
【００４３】
また、画像処理部３０は、処理部で処理された画像データを光変調部駆動回路３２に送信するとき、図２（Ａ）の処理部と同様に動作して、ＤＲＡＭ４０から画像データを取得する。
【００４４】
以上説明したように、本発明の実施形態に係るプロジェクター１の画像処理部３０は、第１の色空間の画像データを、明度、彩度、及び色相の要素を有する極座標系の色空間である第２の色空間の画像データに変換する変換部３９と、変換部３９が変換した画像データに対し、少なくとも彩度について他の要素とは異なる圧縮率を適用して圧縮する圧縮部３８と、を有し、圧縮部３８が圧縮した画像データを転送する。これにより、画質の劣化を抑えて高い圧縮率で画像データを圧縮できる。
プロジェクター１は、圧縮部３８が圧縮する処理において、明度、彩度、色相のうち少なくともいずれか一つの要素の圧縮率を、他の要素に基づいて設定するので、画質の劣化をより一層低く抑えることができる。また、要素の特性に対応して圧縮率を設定することにより、投射画像の画質の劣化を生じないように、高い圧縮率を設定できる。これにより、投射画像の品質を維持して、効率よく画像データを処理できる。
【００４５】
画像処理部３０では、彩度の圧縮率を、明度の圧縮率及び色相の圧縮率のうち少なくとも一方と異なる圧縮率に設定する。このため、画質の劣化を抑え、画像データの転送を高速化することが可能な圧縮率を設定できる。また、彩度の圧縮率を、明度の圧縮率及び色相の圧縮率のうち少なくとも一方の圧縮率よりも低い圧縮率に設定してもよい。また、極座標系の色空間に変換した画像データの彩度のデータに基づいて、色相の圧縮率を設定してもよい。
【００４６】
さらに、圧縮部３８が適用する明度、彩度、及び色相の圧縮率を、圧縮部３８が設定或いは変更してもよく、制御部１０が設定或いは変更してもよい。また、制御部１０または圧縮部３８により、リモコン１５または操作パネル１１で受け付ける操作に基づいて、明度、彩度、色相のうち少なくともいずれか１つの要素の圧縮率を変更してもよい。
【００４７】
また、画像処理部３０は、直交座標系の色空間の画像データを処理する処理部を備え、変換部３９は、極座標系の色空間の画像データを直交座標系の色空間の画像データに変換して処理部に出力し、処理部が出力する画像データを極座標系の色空間の画像データに変換する。このため、直交座標系の画像データを処理する場合に、画質の劣化を抑えて高い圧縮率で画像データを圧縮し、転送できる。
また、画像処理部３０は、圧縮部３８が圧縮した画像データをＤＲＡＭ４０に転送するので、画質の劣化を抑えて高い圧縮率で画像データを圧縮し、転送速度を高速化し、転送効率を高めることができる。また、ＤＲＡＭ４０とＤＲＡＭ  Ｉ／Ｆ３７とを接続するバスを効率よく利用できる。
また、スクリーンＳＣに画像を投射する投射部２０を備えるプロジェクター１では、Ｒ、Ｇ、Ｂの要素を含む画像データに基づき画像を投射する場合に、データ処理の効率を高め、高品位の画像を表示できる。特に、Ｒ、Ｇ、Ｂの要素を含む画像データを処理する処理部、及び、Ｒ、Ｇ、Ｂの要素に対応する液晶パネル２３Ｒ、２３Ｇ、２３Ｂを備えたプロジェクター１で、極座標系の色空間の画像データに変換することで、画質の劣化を抑えてデータ処理及び転送の効率向上を図ることができる。
【００４８】
なお、上述した実施形態は本発明を適用した具体的態様の例に過ぎず、本発明を限定するものではなく、上記実施形態とは異なる態様として本発明を適用することも可能である。例えば、プロジェクター１が画像データを記憶するメモリーは、画像データを一時的に記憶する記憶領域を提供可能なものであればよく、ＤＲＡＭ４０に限定されず、ＳＲＡＭであってもよく、具体的な構成は任意である。また、図１の画像処理部３０を構成する各回路は、例えば、ＩＣ（Integrated Circuit）やＳｏＣで実現されてもよいし、ＣＰＵやＭＰＵがプログラムを実行することにより、ソフトウェアで実現されてもよい。従って、図１は画像処理部３０の物理的な実装形態を限定するものではない。
【００４９】
また、光変調部２３は、例えば、ＲＧＢの各色に対応した３枚の透過型の液晶パネル２３Ｒ、２３Ｇ、２３Ｂを備えた構成として説明したが、反射型の液晶パネルを用いてもよい。また、例えば、３枚のＤＭＤ（デジタルミラーデバイス）を備えた構成、或いは、１枚の透過型液晶パネルまたはＤＭＤとカラーホイールとを組み合わせた構成であってもよい。
【００５０】
さらに、本発明の表示装置は、上述したようにスクリーンＳＣに画像を投射するプロジェクター１に限定されず、液晶表示パネルに画像を表示する液晶モニターまたは液晶テレビ、或いは、ＰＤＰ（プラズマディスプレイパネル）に画像を表示するモニター装置またはテレビ受像機、ＯＬＥＤ（Organic light-emitting diode）、ＯＥＬ（Organic Electro-Luminescence）等と呼ばれる有機ＥＬ表示パネルに画像を表示するモニター装置またはテレビ受像機等の自発光型の表示装置など、各種の表示装置も本発明の表示システムに含まれる。この場合、液晶表示パネル、プラズマディスプレイパネル、有機ＥＬ表示パネルが表示部に相当する。また、図１に示したプロジェクター１の各機能部に個別に対応するハードウェアが実装される必要はなく、画像処理部３０を除く各部について、一つのプロセッサーがプログラムを実行することで複数の機能部の機能を実現する構成とすることも勿論可能である。
【符号の説明】
【００５１】
１…プロジェクター（表示装置）、１０…制御部（圧縮率変更部）、１１…操作パネル（操作部）、１５…リモコン（操作部）、２０…投射部（表示部）、２３…光変調部、２３Ｒ、２３Ｇ、２３Ｂ…液晶パネル、３０…画像処理部（画像処理装置）、３１…画像入力Ｉ／Ｆ、３２…光変調部駆動回路、３３…リサイズ部（処理部）、３４…ＯＳＤ処理部（処理部）、３５…フレームレート変換部（処理部）、３６…ＯＤ処理部（処理部）、３７…ＤＲＡＭ  Ｉ／Ｆ、３８…圧縮部、３９…変換部、４０…ＤＲＡＭ（メモリー）、Ｄ１…入力画像データ、ＳＣ…スクリーン（投射面）。
【図１】
2016158014.tif 000003
【図２】
2016158014.tif 000004
【図３】
2016158014.tif 000005